(57)【要約】【課題】スクリーンの外側（映像観視側）からの外光による映像のコントラスト低下を防ぎつつ映像の明るさの低下を抑制するのに好適な技術を提供する。【解決手段】投射型表示装置の画像表示面(スクリーン)に、外光、特に３波長蛍光灯のピーク波長において特定の波長を吸収する光学フィルタ部材を含む全面保護シート(3)を設ける。更に、画像を形成するための光源として、３色の発光ダイオードを用いた。この発光ダイオードの少なくとも１つは、前面保護シートが吸収するピーク波長とは異なる波長の光を放出する。これにより、セットの明るさを低下させることなく外光による映像のコントラスト低下を防ぐことができる。【選択図】  図４
2007065520.tif 000002
【特許請求の範囲】
【請求項１】
画像表示装置において、
光を放出する光源と、該光源からの光を変調して画像を形成する表示素子とを備え、
前記光源の発光スペクトル分布における赤、青及び緑のピーク波長のうち、少なくとも一つの特定色のピーク波長が、外光の発光スペクトル分布における前記特定色のピーク波長と異なることを特徴とすることを特徴とする画像表示装置。
【請求項２】
請求項１に記載の画像表示装置において、前記特定色が緑であることを特徴とする画像表示装置。
【請求項３】
請求項１に記載の画像表示装置において、前記特定色が緑及び赤であることを特徴とする画像表示装置。
【請求項４】
請求項１に記載の画像表示装置において、前記光源は、赤、青及び緑の光をそれぞれ放出する少なくとも３色の発光ダイオードを含むことを特徴とする画像表示装置。
【請求項５】
請求項４に記載の画像表示装置において、前記外光が３波長蛍光灯からの光であり、前記３色の発光ダイオードのうち、少なくとも一つの特定色の発光ダイオードから放出される光のピーク波長が、前記３波長蛍光灯の発光スペクトル分布における前記特定色のピーク波長と異なることを特徴とすることを特徴とする画像表示装置。
【請求項６】
画像表示装置において、
赤、青及び緑の光をそれぞれ放出する少なくとも３色の発光ダイオードを含む光源と、該光源からの光を変調して画像を形成する表示素子とを備え、
前記３色の発光ダイオードのうち、少なくとも一つの特定色の発光ダイオードから放出される光のピーク波長が、外光としての３波長蛍光灯の発光スペクトル分布における前記特定色のピーク波長と異なることを特徴とすることを特徴とする画像表示装置。
【請求項７】
請求項６に記載の画像表示装置において、前記表示素子によって形成された画像が表示される表示面上に、少なくとも、前記３波長蛍光灯の発光スペクトル分布における前記特定色のピーク波長を持つ光を、前記特定色の発光ダイオードからの光よりも大きく吸収するための光学フィルタ部材を設けたことを特徴とする画像表示装置。
【請求項８】
請求項７に記載の画像表示装置において、該画像表示装置は、前記表示素子で形成された画像を前記表示面としてのスクリーン上に拡大投射する投射型表示装置であることを特徴とする画像表示装置。
【請求項９】
請求項８に記載の画像表示装置において、前記スクリーンは、フレネルレンズが形成されたフレネルシートと、光を少なくとも水平方向に拡散するためのフロントシートとを含み、前記光学フィルタ部材は、前記フロントシートに設けられることを特徴とする画像表示装置。
【請求項１０】
請求項８に記載の画像表示装置において、前記スクリーンは、フレネルレンズが形成されたフレネルシートと、光を少なくとも水平方向に拡散するためのフロントシートと、該フロントシートの画像観察側に配置された前面保護シートとを含み、前記光学フィルタ部材は、前記全面保護シートに設けられることを特徴とする画像表示装置。
【請求項１１】
請求項８に記載の画像表示装置において、前記スクリーンの表面に、前記光学フィルタ部材として、波長選択性フィルムが貼り付けられることを特徴とする画像表示装置。
【請求項１２】
画像表示装置において、
画像を形成する表示素子と、該表示素子で形成された画像が表示される表示面上に設けられた光学フィルタ部材とを備え、
前記光学フィルタ部材は、３波長蛍光灯の発光スペクトル分布における赤、青及び緑のピーク波長のうち、少なくとも一つの特定色のピーク波長を持つ光を選択的に減衰するものであり、
前記表示素子の発光スペクトル分布における前記特定色のピーク波長が、前記光学フィルタ部材が吸収するピーク波長とは異なることを特徴とする画像表示装置。
【請求項１３】
請求項１２に記載の画像表示装置において、前記表示素子は、赤、青及び緑の３色の発光ダイオードから放出された光を変調する液晶表示素子であることを特徴とする画像表示装置。
【請求項１４】
請求項１３に記載の画像表示装置において、前記３色の発光ダイオードのうち、前記特定色の光を放出する発光ダイオードは、前記３波長蛍光灯における特定色のピーク波長に近接した複数のピーク波長を持つ光を放出する複数の発光ダイオードで構成されることを特徴とする画像表示装置。
【請求項１５】
請求項１３に記載の画像表示装置において、該画像表示装置は、前記液晶表示素子によって形成された画像が拡大投射されるスクリーンを有する投射型表示装置であり、該スクリーンに前記光学フィルタ部材が設けられることを特徴とする画像表示装置。
【請求項１６】
請求項１３に記載の画像表示装置において、前記液晶表示素子の画像観察側表面に前記光学フィルタ部材としての波長選択性フィルムが貼り付けられることを特徴とする画像表示装置。
【請求項１７】
請求項１２に記載の画像表示装置において、前記表示素子は、プラズマディスプレイパネルであり、該プラズマディスプレイパネルの画像観察側表面に前記光学フィルタ部材としての波長選択性フィルムが貼り付けられることを特徴とする画像表示装置。
【請求項１８】
請求項１２に記載の画像表示装置において、前記表示素子は、電子もしくは電解放出が他の表示素子あり、該表示素子の画像観察側表面に前記光学フィルタ部材としての波長選択性フィルムが貼り付けられることを特徴とする画像表示装置。
【発明の詳細な説明】
【技術分野】
【０００１】
本発明は、画像表示装置に係り、特に外光による画質の劣化を低減するための改良が為された画像表示装置に関する。
【背景技術】
【０００２】
例えば投射型表示装置などの画像表示装置において、外光による画質劣化（コントラストの低下）を抑制するための従来技術として、例えば下記特許文献１に記載のものが知られている。これは、赤、青及び緑色映像光の発光スペクトル分布におけるピーク波長相互間の波長を持つ光を選択的に減衰するように、投射型表示装置のスクリーンに光学的なフィルタを持たせたものである。これにより、上記ピークエネルギーの主波長相互間の波長を持つ外光を選択的に減衰し、映像の明るさの低減を抑えつつ外光反射によるコントラストの低下が抑制される。
【０００３】
【特許文献１】特開平10-186270号公報（段落番号0077〜0084、図20〜24）
【発明の開示】
【発明が解決しようとする課題】
【０００４】
上記従来技術は、外光の各色のピーク波長が、映像光各色のピーク波長と異なる場合（すなわち外光の各色のピーク波長が映像光各色のピーク波長相互間にある場合）に有効であるかもしれない。しかしながら、映像光各色のピーク波長が外光の各色のピーク波長とほぼ等しい場合は、上記のようなフィルタ特性を持つ光学要素を使用しても、映像光の減衰を抑えつつ外光を吸収する良好に外光成分を吸収することは困難となる。特に、代表的な外光の発生源である３波長蛍光灯は、そのＲＧＢ各色のピーク波長が映像光各色のピーク波長とほぼ等しい場合が多い。このため、そのような外光下においても、映像の明るさの低下を防止しつつ外光によるコントラストの低下を抑制することが好ましい。
【０００５】
本発明は、上記のような課題に鑑みて為されたものであって、その目的は、映像の明るさの低下を防止しつつ外光によるコントラストの低下を抑制するのに好適な技術を提供することにある。
【課題を解決するための手段】
【０００６】
上記目的を達成するために、本発明は、画像の形成に用いる光源の、発光スペクトル分布における赤、青及び緑のピーク波長のうち、少なくとも一つの特定色のピーク波長を、外光の発光スペクトル分布における前記特定色のピーク波長と異ならせたことを特徴とするものである。換言すれば、本発明は、ある特定色について、外光のピーク波長とは異なるピーク波長の光を放出する光源を、画像形成のための光源として用いたことを特徴とする。上記特定色は、視感度が高い緑であることが好ましいが、緑及び赤であってもよい。
【０００７】
より具体的には、上記光源として、赤、青及び緑の光をそれぞれ放出する少なくとも３色の発光ダイオードを用いる。そして、これらうち特定色の発光ダイオードから放出される光のピーク波長を、３波長蛍光灯の発光スペクトル分布における上記特定色のピーク波長と異ならせる。更に、３波長蛍光灯からの上記特定色のピーク波長を持つ光を、上記特定色の発光ダイオードからの光よりも大きく吸収するための光学フィルタ部材を設ける。この光学フィルタ部材は、画像表示装置がスクリーン上に画像を拡大投射する投射型表示装置である場合には、そのスクリーンに設けられることが好ましい。
【０００８】
スクリーンに上記光学フィルタ部材を設ける場合は、そのスクリーンの構成要素であるフロントシート、または全面保護シートに設けてもよい。またスクリーンの画像観察側表面に、光学フィルタ部材としての波長選択性フィルムを貼り付けてもよい。
【発明の効果】
【０００９】
本発明によれば、映像の明るさ低下を抑えつつ外光による映像のコントラスト低下を抑制することが可能となる。
【発明を実施するための最良の形態】
【００１０】
以下、本発明の実施の形態について図面を参照しつつ説明する。まず、図１を用いて、本発明が適用される画像表示装置の概要を、投射型表示装置を例にして説明する。図１は本発明が適用され得る画像表示装置の一部断面斜視図である。画像発生源１０は、発光ダイオードで構成される光源と、この光源からの光を変調して画像を形成する、例えば反射型または透過型の液晶パネルで構成された表示素子とを含む。投射レンズ２０は、画像発生源１からの画像を拡大する。投射レンズ２で拡大された画像は、反射ミラー４０に導かれ、この反射ミラー４０で反射された後に透過型スクリーン３０に投写される。これにより、透過型スクリーン３０上に拡大された画像が表示される。すなわち、この例では、透過型スクリーン４の画像観察側表面が表示面となる。尚、上記画像発生源１０、投射レンズ２０、透過型スクリーン３０及び反射ミラー４０は、筐体５０の内部に収納され所定の位置に固定される。
【００１１】
つぎに、画像発生源１の一例について図７を用いて説明する。この例は、光源として、ＲＧＢの各色の光を放出する３種類の発光ダイオード（ＬＥＤ）を用い、表示素子として透過型の液晶（ＬＣＤ）パネルを用いている。図７に例示される画像発生源１は、マトリクス状に配列された複数の画素を有するＬＣＤ（Liquid Crystal Display）パネル１０９、このＬＣＤパネル１０９を駆動するＬＣＤドライバ１０８、光源１００、この光源１００を駆動するバックライト制御部１０６、フォトセンサ１０７を備える。光源１００は、垂直方向に分割された領域毎に点灯・消灯する複数のＬＥＤ群、即ち、ＬＥＤ群１０１，ＬＥＤ群１０２，ＬＥＤ群１０３，及びＬＥＤ群１０４で構成される。なお、図７では４つの領域に分割された場合について説明しているが、いくつに分割されていても同様に可能である。ＬＣＤドライバ１０８は、映像信号とフィールド同期信号を受けて、ＬＣＤパネル１０９を駆動し画像を形成する。バックライト駆動制御部１０６は、フィールド同期信号を受けて、４つに分割されている光源１００内のＬＥＤ群１０１〜ＬＥＤ群１０４を、１フィールドの周期に同期して、点灯・消灯を順次に行うように駆動する。フォトセンサ１０７は、光源１００の発光量を検知し、光源駆動制御部１０６へフィードバックする。
【００１２】
光源である上記ＬＥＤ群１０１〜ＬＥＤ群１０４は、それぞれ、ＲＧＢ各色の光を放出する３種類のＬＥＤを含んでいる。このような光源の駆動制御の一具体例について、図９を用いて説明する。図８は、図７に示した光源１００、光源駆動制御部１０６、フォトセンサ１０７で構成される制御系の詳細を示している。フォトセンサ１０７は、赤色の光を検知する赤色受光部２１７，緑色の光を検知する緑色受光部２１８及び青色の光を検知する青色受光部２１９を備えている。
【００１３】
ＬＥＤ群２０１〜ＬＥＤ群２０４の各々は、Ｒ色発光ＬＥＤであるR-LED、Ｇ色発光ＬＥＤであるG-LED、Ｂ色発光ＬＥＤであるB-LEDの３色のＬＥＤで構成される。ＬＥＤ群２０１のR-LEDを２０１Ｒ、ＬＥＤ群２０１のG-LEDを２０１Ｇ、ＬＥＤ群２０１のB-LEDを２０１Ｂとしている。ＬＥＤ群２０２〜ＬＥＤ群２０４についても同様である。ＲＧＢ各色のＬＥＤ、すなわちR-LED、G-LED及びB-LEDは、それぞれ所要の個数の発光ダイオードを含んでいるものとする。
【００１４】
光源駆動制御部１０６は、ＬＥＤ駆動部２１３〜２１６、タイミング制御部２２０、ゲイン制御部２２１で構成される。ＬＥＤ駆動部２１３〜２１６は、それぞれＬＥＤ群２０１〜ＬＥＤ群２０４の３色ＬＥＤを点灯・消灯制御する。タイミング制御部２２０は、ＬＥＤ駆動部２１３〜２１６の点灯・消灯タイミングを規定するタイミング信号を発生し、ＬＥＤ駆動部２１３〜２１６へ供給する。このタイミング信号は、例えば映像信号の１垂直期間を４等分したパルス幅を有する信号であり、これを順次ＬＥＤ駆動部２１３〜２１６に供給する。よって、４等分された１垂直期間の第１期間ではＬＥＤ駆動部２１３が動作し、次の第２期間ではＬＥＤ駆動部２１４が動作し、第３期間ではＬＥＤ駆動部２１５が動作し、第４期間ではＬＥＤ駆動部２１６が動作する。これにより、光源１００のＬＥＤ群の順次点滅を実現することができる。
【００１５】
また、ゲイン制御部２２１は、ＬＥＤ駆動部２１３〜２１６がＬＥＤ群２０１〜ＬＥＤ群２０４を駆動する際の、ＬＥＤの発光量を規定する駆動信号のゲインを制御し、ＬＥＤの発光量を制御する。また、ゲイン制御部２２１には、フォトセンサ１０７からのＲ，Ｇ，Ｂの発光量検出信号と、タイミング制御部２２０からのタイミング信号が導かれ、フォトセンサ１０７からのＲ，Ｇ，Ｂの発光量検出信号を、タイミング制御部２２０からのタイミング信号の切り替わりごとにサンプリングして、期間別の発光量検出信号を生成し、この情報を基に上記のゲイン制御を行う。
【００１６】
本実施形態は、上記のような構成の投射型表示装置において、次の事項を特徴としている。（１）外光、特に３波長蛍光灯から放出される光のうち、ＲＧＢ各色のピーク波長を持つ光を選択的に吸収（減衰）するための光学フィルタ部材を有する；（２）上記R-LED、G-LED及びB-LEDのうち、少なくともG-LED、またはG-LED及びR-LEDからの光のピーク波長が、３波長蛍光灯のＲＧＢ各色のピーク波長と異なっている点。
【００１７】
まず、上記（１）の光学フィルタ部材について、図２〜図４を参照しつつ説明する。最初に、３波長蛍光灯の一般的な発光特性を説明する。図３は、外光として代表的な３波長蛍光灯の発光スペクトル分布を示す図であり、横軸は光の波長、縦軸は光の相対エネルギーを示している。図３から明らかなように、視感度の高いＧ光は、５４５ｎｍ付近にエネルギーのピークがある。以下、このＧ光のピーク波長をλoＧmaxとする。次に視感度の高いＲ光は、６１５ｎｍ付近にエネルギーのピークがある。以下、このＲ光のピーク波長をλoＲmaxとする。最も視感度の低いＢ光は、４４０ｎｍ付近にエネルギーのピークがある。以下、このＢ光のピーク波長をλoＢmaxとする。また、４９０ｎｍ付近にもピークが存在している。このような発光特性を持つ３波長蛍光灯の下で投射型表示装置を使用する場合において、投射型表示装置の透過型スクリーン３０に、上記各ピーク波長の光を選択的に減衰する光学フィルタ部材を設ければ、透過型スクリーン３０での外光反射を良好に抑制してコントラストの低下を防止できる。
【００１８】
本実施形態に係る光学フィルタ部材のフィルタ特性、すなわち透過率特性の一例が、図２に示される。図２に示される特性において、横軸は光の波長を示し、縦軸は透過率を示している。本実施形態に係る光学フィルタ部材は、３波長蛍光灯のＧピーク波長λoＧmax（５４５ｎｍ）、および３波長蛍光灯のＲピーク波長λoＲmax（６１５ｎｍ）付近に光の吸収帯があり、その透過率はλoＧmaxでＴＧmax（４２％）、λoＲmaxでＴＲmax（５０％）である。その他の可視光域での透過率は、略８３％となっている。また、４００ｎｍ以下の紫外光の領域では光が透過しないよう紫外線吸収剤を添加している。また３７５ｎｍ以下での透過率は略０％となっている。尚、本実施形態に係る光学フィルタ部材は、Ｂピーク波長λoＢmax（４４０ｎｍ）付近では光の吸収帯を設けていない。それは、Ｂ光は視感度が低いため、Ｂ光の反射がコントラストの低下に大きな影響を及ぼさないからである。しかしながら、Ｂピーク波長付近にも光の吸収帯を設けてもよいことは言うまでもない。また、４９０ｎｍ付近のピーク波長についても、視感度が低いために光の吸収帯を設けていない。上記の光学フィルタ部材の特性例では、Ｇピーク波長及びＲピーク波長について光の吸収帯を設けているが、最も視感度が高いＧピーク波長についてのみ光の吸収帯を設けてもよい。
【００１９】
上記光学フィルタ部材が用いられる透過型スクリーンの構成の一例を図４に示す。かかる透過型スクリーンは、フレネルレンズシート２と、フレネルレンズシート２の画像観察側に配置されたレンチキュラーレンズシート１と、レンチキュラーレンズシート１の画像監視側に配置された前面保護シート３とを有している。フレネルレンズシート２は、その光出射面に同心円状のフレネルレンズ６が設けられており、このフレネルレンズ６によって、映像光入射面７から入射する画像光の光束をほぼ平行光束にして出射する。これにより、透過型スクリーンの画面全体の明るさが均一にされる。レンチキュラーレンズシート１の光入射面には、スクリーンの垂直方向に伸びるレンチキュラーレンズ５が画面水平方向に複数形成されている。このレンチキュラーレンズ５の集光作用によって、フレネルレンズシート２から出射された映像光を水平方向に屈折拡散させる。また、レンチキュラーレンズシート１の光出射面の、レンチキュラーレンズ５の焦点位置近傍には、光透過部４が設けられている。このため、レンチキュラーレンズ５によって集光された光は、光透過部４から出射されて水平方向に拡散される。更に、レンチキュラーレンズシート１の光出射面の、光透過部４の相互間には、スクリーン垂直方向に伸びる黒色のブラックストライプ８が設けられている。ブラックストライプ８は、外光を吸収してレンチキュラーレンズシート１の光出射面における外光反射を抑制するものである。前面保護シート３は、光透過部４及びブラックストライプ８を、外部からの物理的接触から保護するためのものであり、通常、レンチキュラーレンズシート１よりも大きな厚さを持つ。図示の例では、レンチキュラーレンズシート１と前面保護シートは分離されているが、両者を結合して一体化し、１枚のフロントシートを構成してもよい。尚、図示していないが、レンチキュラーレンズシート１及び／または前面保護シート３に、光拡散材を混入し、更に視野角を広げるようにしてもよい。
【００２０】
このような構成のスクリーンにおいて、室内の照明光（３波長蛍光灯）などの外光９ａ、９ｂ、９ｃは、その一部が前面保護シート３を通過し、その一部９ａはレンチキュラーシート１の出射面側に設けられた光吸収層８で吸収される。また、他の一部９ｂ、９ｃはレンチキュラーシート１の光透過部４およびレンチキュラーレンズ５の入射面によって反射され、前面保護シート３を通って外部に戻る。この戻った外光９ｂ、９ｃが前面保護シート３から出射する映像光１０に重なって映像のコントラストを低下させる一因となる。このようなコントラストの低下を防止するために、本実施形態では、上記前面保護シート３に、図２に示される透過率特性を有する光学フィルタ部材を設けている。具体的には、前面保護シート３に染料もしくは顔料を混入することで、前面保護シート３に、図２に示される透過率特性を持たせるようにしている。従って、例えばＧピーク波長(λoＧmax)を持つ外光の強度は、前面保護シート３を通過してレンチキュラーレンズシート１に到達するときには、４２％に減衰される。そして、レンチキュラーレンズシート１の各部で反射され、前面保護シート３を通過して外部へ戻るときには、さらにその４２％に減衰される。従って、前面保護シート３を往復して前面保護シート３から出射されるＧピーク波長の外光強度は、外部から前面保護シート３に入射するときの強度の１７.６％にまで減衰される。また図２に示される光学フィルタ部材の透過率特性は、赤ピーク波長（λoＲmax）に対する透過率は約５０％であるため、前面保護シート３を往復して前面保護シート３から出射されるＲピーク波長の外光強度は、同様に２５％まで減衰される。一方、λoＧmaxとλoＲmax以外の可視光域の波長では略８３％とほとんど弱められない。
【００２１】
このように、本実施形態に係る透過型スクリーンは、３波長蛍光管から放出される光の、視感度の高いピーク波長成分について選択的に吸収する光学フィルタ要素を有している。このため、外光反射を良好に低減してコントラストの低下を抑制できる。上記の例では、前面保護シート３に染料または顔料を混入して所望の透過率特性を持たせるようにしているが、全面保護シート３の画像観察側表面に、図２に示される透過率特性を持つ波長選択性フィルムを貼り付けてもよい。レンチキュラーレンズシート１と全面保護シート３を結合してフロントシートを構成する場合も同様である。更に、全面保護シート３がない場合は、レンチキュラーレンズシート１に光学フィルタ要素を設けてもよい。
【００２２】
次に、上記（２）について説明する。上記図２に示された透過率特性を持つ波長選択性フィルタを用いる場合、映像光のＲＧＢ各色のピーク波長（特にＧ及びＲのピーク波長）が、光学フィルタ部材の吸収帯が設けられる波長、すなわちλoＧmaxとλoＲmaxとほぼ等しいと、映像光まで吸収される。この場合、外光の反射は低減されるが画像の明るさも同時に低減される。これを防止するため、本実施形態では、画像を形成するために用いられる光源として、λoＧmaxとλoＲmaxとは異なるピーク波長の光を放出する光源を選択する。この選択を容易にするために、本実施形態では、上述したように光源として３色のＬＥＤを使用している。具体的には、図５に示されるように、G-LEDから放出されるＧ光のピークエネルギーの主波長λＧmaxを、λoＧmax（５４５ｎｍ）とは異なるピーク波長、例えば約５５０ｎｍとする。また、R-LEDから放出されるＲ光のピークエネルギーの主波長λＲmaxを、λoＲmax（６１５ｎｍ）とは異なるピーク波長、例えば約６３０ｎｍとする。このようにすれば、図２から明らかなように、λＧmax及びλＲmaxに対する透過率は約８３％であり、当該映像光は光学フィルタ部材の吸収帯によってほとんど減衰されない。
【００２３】
現在市販されているG-LEDの代表的なものとしては、例えば（株）ローム製のSLR343ECT（λＧmax：５２３ｎｍ）、同SLR343BDT（λＧmax：５１８ｎｍ）、同SLA-360MT（λＧmax：５６０ｎｍ）等がある。また現在市販されているR-LEDの代表的なものとしては、例えば（株）ローム製のSLI-343YC（λＲmax：５９１ｎｍ）、（株）シャープ製のGL32RB02B0SE（λＲmax：６３８ｎｍ）等がある。従って、これらのうちから、３波長蛍光灯のＧ及びＲのピーク波長であるλoＧmax、λoＲmaxと異なるものを適宜選択すればよい。λoＧmaxに対するλＧmaxの差は、光学フィルタ特性の吸収帯の範囲に応じて決めてもよい。例えば、λoＧmaxを含む吸収帯の範囲（例えば透過率が７０％以下の範囲）が５４０〜５６０ｎｍであれば、λＧmaxが５１８ｎｍのG-LEDを選択してもよい。同様に、λoＲmaxを含む吸収帯の範囲（例えば透過率が７０％以下の範囲）が６００〜６４０ｎｍであれば、λＲmaxが５９１ｎｍのR-LEDを選択してもよい。
【００２４】
図５では、各ＬＥＤのピーク波長を単一としたが、λoＧmax、λoＲmaxと異なっていれば、ピーク波長が複数であってもよい。先に述べたＬＥＤでは、発光スペクトルの波長幅が極めて狭いため複数の発光波長を持つものを組み合わせて使う場合がある。図６に示すようにピーク波長λ１Ｇmax、λ２Ｇmax、λ１Ｒmaxを持つ光源を組み合わせて、λoＧmax、λoＲmaxを避ければいくつ組み合わせても同様な効果を得られる。
【００２５】
上基本実施形態では、画像表示装置の例として、光源としてＬＥＤを用い、表示素子として液晶パネルを用いた背面投写型画像表示装置を挙げて説明した。しかしながら、表示素子としてＰＤＰやＦＥＤ、ＳＥＤ、直視ブラウン管を使用した画像表示装置でも同様な効果を得ることができる。すなわち、ＰＤＰやＦＥＤ、ＳＥＤを用いる場合、そのパネルの表示面ガラスに、図２に示されるような波長選択性フィルタを貼り付ければよい。
【００２６】
このように、本実施形態によれば、透過型スクリーンに光学フィルタ部材を設け、更に３波長蛍光灯のＧ及びＲ光のピーク波長とは異なるピーク波長の光を放出するＬＥＤを光源として用いている。このため、映像の明るさの低下を抑えつつ、外光の反射によるコントラストの低下を抑制することができる。
【図面の簡単な説明】
【００２７】
【図１】本発明が適用される投射型表示装置の一例を示す図。
【図２】本実施形態に係る光学フィルタ部材の透過率特性図。
【図３】３波長蛍光灯の外光の発光スペクトル分布図。
【図４】本発明が適用される透過型スクリーンの一例を示す図。
【図５】本実施形態に用いられる光源の発光スペクトル分布の一例を示す図。
【図６】本実施形態に用いられる光源の発光スペクトル分布の、他の例を示す図。
【図７】投射型表示装置の画像発生源１の一例を示す図
【図８】光源駆動回路の一例を示す図
【符号の説明】
【００２８】
１…レンチキュラーレンズシート、２…フレネルレンズシート、３…前面保護シート、４…レンチキュラーシート出射面、５…レンチキュラーシート入射面、６…フレネルレンズシート出射面、７…フレネルレンズシート入射面、８…光吸収層、９…外光、１０…映像光。
【図１】
2007065520.tif 000003
【図２】
2007065520.tif 000004
【図３】
2007065520.tif 000005
【図４】
2007065520.tif 000006
【図５】
2007065520.tif 000007
【図６】
2007065520.tif 000008
【図７】
2007065520.tif 000009
【図８】
2007065520.tif 000010